【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
制御信号を応じて出力信号の振幅を制御可能な信号出力回路による信号の周波数を逓倍した信号を生成する逓倍回路であって、
逓倍した信号の出力レベルを検知する検知手段と、
上記検出手段の検知結果に基づいて、一定の出力レベルが得られるように上記制御信号を生成して上記信号出力回路に出力する制御信号生成手段と
を有する逓倍回路。
【請求項２】
制御信号を応じて出力信号の振幅を制御可能な信号出力回路による信号の周波数を逓倍した信号を生成する逓倍回路であって、
上記信号出力回路による信号の周波数を逓倍した信号を生成して出力するコア回路と、  上記信号出力回路による信号を受けて上記コア回路の出力信号と等価なレベルの信号を生成するモニタ回路と、
上記モニタ回路の信号出力レベルに基づいて、上記コア回路の一定の出力レベルが得られるように上記制御信号を生成して上記信号出力回路に出力する制御信号生成手段と
を有する逓倍回路。
【請求項３】
上記コア回路と上記モニタ回路は、出力端子が負荷に接続され、上記信号出力回路による信号が制御端子に供給され、当該出力端子から逓倍した信号を出力するトランジスタを含み、
上記制御信号生成手段は、上記モニタ回路に流れる電流を検知して検知結果に応じて上記制御信号を生成する
請求項２記載の逓倍回路。
【請求項４】
上記制御信号生成手段は、
定電流源と、
低インピーダンス入力端子が上記モニタ回路の出力端子に接続され、高インピーダンス出力端子が上記定電流源に接続されたカンレトミラー回路と、を含み、
上記定電流源と上記カンレトミラー回路の高インピーダンス出力端子との接続点により上記制御信号を出力する
請求項３記載の逓倍回路。
【請求項５】
上記モニタ回路のトランジスタの素子サイズは、上記コア回路のトランジスタの素子サイズより小さく設定されている
請求項３記載の逓倍回路。
【請求項６】
上記モニタ回路のトランジスタの素子サイズは、上記コア回路のトランジスタの素子サイズより小さく設定されている
請求項４記載の逓倍回路。
【請求項７】
制御信号を応じて出力信号の振幅を制御可能な電圧制御発振器を含む位相同期ループと、
上記電圧制御発振器の発振出力信号の周波数を逓倍した信号を生成する逓倍回路と、を有し、
上記逓倍回路は、
上記電圧制御発振器の発振出力信号の周波数を逓倍した信号を生成して出力するコア回路と、
上記電圧制御発振器の発振出力信号を受けて上記コア回路の出力信号と等価なレベルの信号を生成するモニタ回路と、
上記モニタ回路の信号出力レベルに基づいて、上記コア回路の一定の出力レベルが得られるように上記制御信号を生成して上記電圧制御発振器に出力する制御信号生成手段と、を含む
発振回路。
【請求項８】
上記コア回路と上記モニタ回路は、出力端子が負荷に接続され、上記電圧制御発振器による発振出力信号が制御端子に供給され、当該出力端子から逓倍した信号を出力するトランジスタを含み、
上記制御信号生成手段は、上記モニタ回路に流れる電流を検知して検知結果に応じて上記制御信号を生成する
請求項７記載の発振回路。
【請求項９】
上記制御信号生成手段は、
定電流源と、
低インピーダンス入力端子が上記モニタ回路の出力端子に接続され、高インピーダンス出力端子が上記定電流源に接続されたカンレトミラー回路と、を含み、
上記定電流源と上記カンレトミラー回路の高インピーダンス出力端子との接続点により上記制御信号を出力する
請求項８記載の発振回路。
【請求項１０】
上記モニタ回路のトランジスタの素子サイズは、上記コア回路のトランジスタの素子サイズより小さく設定されている
請求項８記載の発振回路。
【請求項１１】
上記モニタ回路のトランジスタの素子サイズは、上記コア回路のトランジスタの素子サイズより小さく設定されている
請求項９記載の発振回路。
【請求項１２】
局部発振部による局部発振信号に基づいて主信号に対する所定の処理を行うフロントエンド部を有する無線通信装置であって、
上記局部発振部は、
制御信号を応じて出力信号の振幅を制御可能な電圧制御発振器を含む位相同期ループと、
上記電圧制御発振器の発振出力信号の周波数を逓倍した信号を生成する逓倍回路と、を有し、
上記逓倍回路は、
上記電圧制御発振器の発振出力信号の周波数を逓倍した信号を生成して出力するコア回路と、
上記電圧制御発振器の発振出力信号を受けて上記コア回路の出力信号と等価なレベルの信号を生成するモニタ回路と、
上記モニタ回路の信号出力レベルに基づいて、上記コア回路の一定の出力レベルが得られるように上記制御信号を生成して上記電圧制御発振器に出力する制御信号生成手段と、を含む
無線通信装置。
【請求項１３】
所定周波数の受信信号を所定の利得をもって増幅する低雑音増幅器と、
上記低雑音増幅器から出力された所定周波数の受信信号を上記局部発振部による局部発振信号により中間周波数の信号に変換する周波数変換回路と、を有する
請求項１２記載の無線通信装置。
【請求項１４】
送信信号を上記局部発振部のよる局部発振信号により所定の方式で変調する変調回路と、
変調回路により変調された送信信号を無線により送信させるパワー増幅器と、を有する
請求項１２記載の無線通信装置。
【手続補正２】
【補正対象書類名】明細書
【補正対象項目名】０００８
【補正方法】変更
【補正の内容】
【０００８】
上記目的を達成するため、本発明の第１の観点は、制御信号を応じて出力信号の振幅を制御可能な信号出力回路による信号の周波数を逓倍した信号を生成する逓倍回路であって、逓倍した信号の出力レベルを検知する検知手段と、上記検出手段の検知結果に基づいて、一定の出力レベルが得られるように上記制御信号を生成して上記信号出力回路に出力する制御信号生成手段とを有する。
【手続補正３】
【補正対象書類名】明細書
【補正対象項目名】０００９
【補正方法】変更
【補正の内容】
【０００９】
本発明の第２の観点は、制御信号を応じて出力信号の振幅を制御可能な信号出力回路による信号の周波数を逓倍した信号を生成する逓倍回路であって、上記信号出力回路による信号の周波数を逓倍した信号を生成して出力するコア回路と、上記信号出力回路による信号を受けて上記コア回路の出力信号と等価なレベルの信号を生成するモニタ回路と、上記モニタ回路の信号出力レベルに基づいて、上記コア回路の一定の出力レベルが得られるように上記制御信号を生成して上記信号出力回路に出力する制御信号生成手段とを有する。
【手続補正４】
【補正対象書類名】明細書
【補正対象項目名】００１１
【補正方法】変更
【補正の内容】
【００１１】
本発明の第３の観点は、制御信号を応じて出力信号の振幅を制御可能な電圧制御発振器を含む位相同期ループと、上記電圧制御発振器の発振出力信号の周波数を逓倍した信号を生成する逓倍回路と、を有し、上記逓倍回路は、上記電圧制御発振器の発振出力信号の周波数を逓倍した信号を生成して出力するコア回路と、上記電圧制御発振器の発振出力信号を受けて上記コア回路の出力信号と等価なレベルの信号を生成するモニタ回路と、上記モニタ回路の信号出力レベルに基づいて、上記コア回路の一定の出力レベルが得られるように上記制御信号を生成して上記電圧制御発振器に出力する制御信号生成手段と、を含む。
【手続補正５】
【補正対象書類名】明細書
【補正対象項目名】００１５
【補正方法】変更
【補正の内容】
【００１５】
本発明の第４の観点は、局部発振部による局部発振信号に基づいて主信号に対する所定の処理を行うフロントエンド部を有する無線通信装置であって、上記局部発振部は、制御信号を応じて出力信号の振幅を制御可能な電圧制御発振器を含む位相同期ループと、上記電圧制御発振器の発振出力信号の周波数を逓倍した信号を生成する逓倍回路と、を有し、上記逓倍回路は、上記電圧制御発振器の発振出力信号の周波数を逓倍した信号を生成して出力するコア回路と、上記電圧制御発振器の発振出力信号を受けて上記コア回路の出力信号と等価なレベルの信号を生成するモニタ回路と、上記モニタ回路の信号出力レベルに基づいて、上記コア回路の一定の出力レベルが得られるように上記制御信号を生成して上記電圧制御発振器に出力する制御信号生成手段と、を含む。